(57)【特許請求の範囲】
【請求項１】
複数の圧縮機、室外熱交換器、室外膨張装置、受液器、室内膨張装置と室内熱交換器を備えた複数の室内機、とを連結した冷凍サイクルを有する空気調和機において、
前記複数の圧縮機を、暖房利用側の前記圧縮機となる回転数制御が可能とされるインバータ圧縮機と、冷房利用側の前記圧縮機となる複数台の定速型圧縮機とし、前記暖房利用側の圧縮機から吐出される高圧ガス冷媒は暖房利用側となる前記室内機へ供給されて前記室内熱交換器で凝縮され、前記冷房利用側の前記圧縮機から吐出される高圧ガス冷媒は前記室外熱交換器で凝縮されて前記受液器を通った後に過冷却されて冷房利用側となる前記室内機へ供給し、前記室外熱交換器及び前記室外膨張装置を複数台設けて、前記一方の室外熱交換器で凝縮した液冷媒を、前記他方の室外熱交換器に前記室外膨張装置を介して導入し、前記冷房利用側の室内機に流れる冷媒量を調節するとともに、冷房利用側の前記圧縮機における複数台の定速型圧縮機の運転台数を制御することを特徴とする空気調和機。
【発明の詳細な説明】
【０００１】
【発明の属する技術分野】
本発明は、冷凍サイクルを用いる空気調和機に関し、特に圧縮機を２台以上搭載した冷暖房同時運転が可能なマルチ型空気調和機に好適である。
【０００２】
【従来の技術】
冷暖房同時運転が可能なマルチ型空気調和機の冷房主体運転（暖房小容量運転）時において、外気温度が低い場合、冷房運転側の冷凍サイクルでは室外熱交換器は凝縮器として作用するので、室外熱交換器での熱交換量が増加し、凝縮圧力が低下し、圧縮機の吐出圧力が低下する。一方、暖房側室内機の吹出温度を高く保つには、室内熱交換器での凝縮圧力を上昇させなければならないので圧縮機の吐出圧力を上昇させる必要がある。
【０００３】
このため、圧縮機を２台以上搭載した冷暖房同時運転が可能なマルチ型空気調和機において、各々の圧縮機から吐出する高圧冷媒を一度合流した後、分岐するような冷凍サイクルでは、冷房運転側の冷凍サイクルにとっては圧縮機の吐出圧力を必要以上に上昇させることになり、その分圧縮機入力も上昇することになる。そこで、冷房運転と暖房運転とが混在する場合の圧縮機入力を低減するため、各々の圧縮機から吐出する高圧冷媒の混合を防止することが知られ、例えば特開平５−１８６２号公報に記載されている。
【０００４】
また、冷房運転と暖房運転とが混在する場合、室外機よりも室内機が上部にあるとそのヘッド差により液冷媒が冷房利用側室内機に供給されないと冷房能力不足が生じるが、液配管内を流れる液冷媒の一部をバイパスし、その液冷媒を減圧して得た低温の冷媒と液配管内を流れる液冷媒とを熱交換する過冷却回路を設け、冷房利用側室内機に液冷媒を供給して改善することが、例えば特開平７−４７７９号公報に開示されている。
【０００５】
【発明が解決しようとする課題】
上記従来技術においては、冷暖同時運転時に夫々の圧縮機から吐出された高圧冷媒の混合を防止しているが、冷房運転の負荷が増加した場合、冷房側の冷媒循環量が低下する。そのため、一方の圧縮機（暖房側）から吐出した冷媒の一部を室外熱交換器で凝縮し、凝縮した液冷媒を冷房利用側室内機に供給すれば良いが、そうすると前述と同様になり、暖房利用側室内機の吹出温度を高く保つために圧縮機の吐出圧力を上昇させなければならない。圧縮機の吐出圧力を上昇させるためには、凝縮性能を低下させるために伝熱面積を小さくし、室外熱交換器内を液冷媒で埋めることになる。よって、冷凍サイクル内に封入する冷媒量が増加してしまい、空気調和機のコストアップにつながるのみならず、環境負荷が大きい機器となってしまう。
【０００６】
また、特開平７−４７７９号公報に記載のものでは、各冷房利用側室内機に供給される液冷媒の一部が、それぞれ室内機入口においてバイパスされるので、冷房利用側室内機に供給されるの液冷媒の量によっては、液冷媒を過冷却するのに必要なバイパスする液冷媒が確保することが困難となる。さらに、バイパスすることにより、冷房側室内機に供給する液冷媒量が少量となり、冷房能力が確保できなくなる恐れがある。
【０００７】
本発明の目的は、上記従来技術の課題を解決し、冷房及び暖房能力を充分に確保すると共に、圧縮機の入力を低減し、かつ使用する冷媒量を低減することにある。特に、室外機よりも室内機が上部に配置される場合でも冷房利用側室内機の冷房能力を充分確保することにある。
【０００８】
【課題を解決するための手段】
上記課題を解決するため、本発明は、複数の圧縮機、室外熱交換器、室外膨張装置、受液器、室内膨張装置と室内熱交換器を備えた複数の室内機、とを連結した冷凍サイクルを有する空気調和機において、前記複数の圧縮機を、暖房利用側の前記圧縮機となる回転数制御が可能とされるインバータ圧縮機と、冷房利用側の前記圧縮機となる複数台の定速型圧縮機とし、前記暖房利用側の圧縮機から吐出される高圧ガス冷媒は暖房利用側となる前記室内機へ供給されて前記室内熱交換器で凝縮され、前記冷房利用側の前記圧縮機から吐出される高圧ガス冷媒は前記室外熱交換器で凝縮されて前記受液器を通った後に過冷却されて冷房利用側となる前記室内機へ供給し、前記室外熱交換器及び前記室外膨張装置を複数台設けて、前記一方の室外熱交換器で凝縮した液冷媒を、前記他方の室外熱交換器に前記室外膨張装置を介して導入し、前記冷房利用側の室内機に流れる冷媒量を調節するとともに、冷房利用側の前記圧縮機における複数台の定速型圧縮機の運転台数を制御する。
【００１９】
【発明の実施の形態】
以下、本発明の一実施の形態による空気調和機を図１ないし図６を参照してて説明する。図１ないし図６に記載の矢印の向きは、冷房主体（暖房小容量）運転時の冷媒の流れ方向を示し、主として冷房主体運転時について説明するが、本冷凍サイクルは全室冷房、全室暖房、暖房主体（冷房小容量）運転時においても同様である。
【００２０】
図１において、１ａはその回転数が可変とされたインバータ圧縮機であり、インバータ圧縮機１ａから吐出した高圧冷媒は、四方弁２ａ、室外高圧ガス阻止弁１４を介して、高圧ガス接続配管１５から各室内機４０ａ、４０ｂ、４０ｃ、４０ｄに接続された高圧ガス接続枝配管１５１ａ、１５１ｂ、１５１ｃ、１５１ｄに供給される。圧縮機１ｂ、１ｃから吐出した高圧冷媒は、四方弁２ｂ、室外熱交換器３ｂ、室外膨張装置４ｂ、受液器５、室外液配管６、室外液阻止弁７を介して、液接続主配管８から各室内機４０ａ、４０ｂ、４０ｃ、４０ｄに接続された液接続枝配管８１ａ、８１ｂ、８１ｃ、８１ｄに供給される。
【００２１】
暖房利用側室内機４０ｄでは、高圧ガス開閉弁５１０ｄを開け、低圧ガス開閉弁５１１ｄを閉じることで、高圧ガス接続枝配管１５１ｄから供給される高圧ガス冷媒を室内熱交換器１０ｄで凝縮する。凝縮した液冷媒（またはガス液二相の冷媒）は室内膨張装置９ｄから液接続枝配管８１ｄを介して、液接続主管８に導出される。
【００２２】
一方、冷房利用側室内機４０ａ、４０ｂ、４０ｃでは、高圧ガス開閉弁５１０ａ、５１０ｂ、５１０ｃ、５１０ｄを閉じ、低圧ガス開閉弁５１１ａ、５１１ｂ、５１１ｃ、５１１ｄを開けることで、液接続枝配管８１ａ、８１ｂ、８１ｃから供給される液冷媒（またはガス・液二相の冷媒）を室内膨張装置９ａ、９ｂ、９ｃで減圧した後、室内熱交換器１０ａ、１０ｂ、１０ｃで蒸発する。蒸発したガスまたは、ガス・液二相の冷媒は低圧ガス接続枝配管１１１ａ、１１１ｂ、１１１ｃ、低圧ガス接続主配管１１、アキュムレータ１３を介して、圧縮機１ａ、１ｂ、１ｃに吸入される。
【００２３】
次に、空調負荷が変化した場合の冷凍サイクルの制御方法について説明する。
暖房利用側の空調負荷が変化した場合は、インバータ圧縮機１ａの回転数を制御することで、任意の暖房能力に設定することができる。冷房側の空調負荷が変化した場合は、圧縮機１ｂ、１ｃを全てまたは、どちらか１台をインバータ圧縮機とした場合は、インバータ圧縮機の回転数を制御することで、任意の冷房能力に設定することができる。
【００２４】
圧縮機１ｂ、１ｃ共に定速圧縮機とした場合は、受液器５の後流側からバイパスする液冷媒のバイパス量を減圧装置１６の開度で制御して、つまり、減圧装置１６で減圧した低温のガス・液二相の冷媒と室外液配管６中の液冷媒との熱交換量を過冷却装置１７で調整すれば、冷房利用側室内機の入口における冷媒の比エンタルピ量を制御することになるので、それと共に、圧縮機１ｂ、１ｃの運転台数を制御することで任意の冷房能力に設定することができる。また、圧縮機１ｂ、１ｃを共に定速圧縮機とした場合、室外熱交換器３ｂで凝縮した液冷媒の１部を、室外熱交換器３ａ側に導入し、冷房利用側室内機４０ａ、４０ｂ、４０ｃに流れる冷媒量を調整すると共に、圧縮機１ｂ、１ｃの運転台数を制御することでも任意の冷房能力に設定することができる。
【００２５】
冷房能力及び暖房能力を空調負荷に応じて制御する際に、インバータ圧縮機１ａから吐出した高圧冷媒と圧縮機１ｂ、１ｃから吐出した高圧冷媒とを完全に分離しているので、インバータ圧縮機１ａと圧縮機１ｂ、１ｃの吐出圧力を別々に設定することができ、例えば外気温度が低い場合、冷房運転側の冷凍サイクルでは、室外熱交換器３ｂでの熱交換量が増加するので、室外熱交換器３ｂでの凝縮圧力を低く抑えることができ、圧縮機１ｂ、１ｃの吐出圧力を低く設定することができる。また、インバータ圧縮機１ａの吐出側から圧縮機１ａ、１ｂ、１ｃの吸入側へ流れないような逆止弁１８を設けることが望ましい。
【００２６】
暖房運転側の冷凍サイクルでは、暖房利用側室内機４０ｄの吹出温度を高く保つために、インバータ圧縮機１ａの吐出圧力を圧縮機１ｂ、１ｃの吐出圧力よりも高く設定すれば良いので、冷房運転側の冷凍サイクルで使用する圧縮機１ｂ、１ｃと暖房運転側の冷凍サイクルで使用するインバータ圧縮機１ａのそれぞれの吐出圧力を、空気調和機の運転効率が最も高くなる圧力にして圧縮機入力を低減することができる。このとき、室外膨張装置４ａを全閉、もしくは微開とすることで、室外熱交換器３ｂは低圧となり、室外熱交換器３ｂ内に液冷媒が溜まることがない。よって、冷凍サイクルに封入する冷媒量を低減することができる。
【００２７】
図２は、他の実施の形態を示し、図１のものに対して、室外機３１ａに接続された室外液分岐配管８ａ、室外低圧ガス分岐配管１１ａ、室外高圧ガス分岐配管１５ａと室外機３１ｂに接続された室外液分岐配管８ｂ、室外低圧ガス分岐配管１１ｂ、室外高圧ガス分岐配管１５ｂとをそれぞれ液接続主配管８、低圧ガス接続主配管１１、高圧ガス接続主配管１５に接続している。
【００２８】
図２のものによれば、室内機の増設によって、室外機として必要な発生能力が増加したとしても、室外機３１ａもしくは室外機３１ｂを増設して容易に対応することができる。
【００２９】
図３は、さらに他の実施の形態を示し、図2のものに対して各室外機３１ａ、３１ｂに搭載した過冷却装置１７ａ、１７ｂの代わって、各室外機３５ａ、３５ｂに接続した室外液分岐配管８ａ、８ｂとを合流した液接続主配管８に過冷却装置１７ｃを配設したものである。
【００３０】
本例によれば、室外機３５ａ、３５ｂが多数台接続されたものであっても、過冷却装置１７ｃを１箇所に配置すれば良く、冷房利用側の空調負荷が変化したときに、過冷却装置１７ｃでの熱交換量を調整する際には、減圧装置１６ｃの開度のみを制御すればよいので、制御性が向上し、ひいては空気調和機の信頼性が向上する。図４は、さらに他の形態を示し、図１の室外液配管６中の液冷媒と室外液配管６からバイパスした後に減圧した冷媒とを、熱交換する過冷却装置１７により室外液配管６中の液冷媒を過冷却するのに対して、受液器５から導出した液冷媒を室外熱交換器３ａ、３ｂと共に空冷されるサブクーラ２０に導入することで、液冷媒を過冷却するものである。
【００３１】
圧縮機１ｂ、１ｃを共に定速圧縮機とした場合、冷房利用側の空調負荷が変化したときは室外送風装置１９の回転数を制御し風量を調整することで、受液器５から導出した液冷媒のサブクーラ２０での熱交換量を調整することができる。よって、冷房利用側室内機入口における冷媒の比エンタルピ量を制御でき、任意の冷房能力に設定することができる。
【００３２】
サブクーラ２０は既存の室外熱交換器を複合化して利用できることから、室外液配管６の液冷媒を過冷却するための過冷却装置を設置する必要がなく、小型化、あるいは低価格化に有利となる。
【００３３】
図５は、さらに、他の実施の形態を示し、図１の室外液配管６中の液冷媒と室外液配管６からバイパスした後に減圧した冷媒とを、熱交換する過冷却装置１７により室外液配管６中の液冷媒を過冷却するのに対して、室外液配管６中の液冷媒を過冷却専用の冷凍サイクルを用いて過冷却するものである。
【００３４】
過冷却専用の冷凍サイクルは、圧縮機１ｈ、室外熱交換器３ｈ、室外膨張装置４ｈ、過冷却装置１７ｈを順次接続してなる冷凍サイクルであり、圧縮機１ｈから吐出した高圧ガス冷媒は、室外熱交換器３ｈで凝縮し、その凝縮した液冷媒を室外膨張装置４ｈで減圧し、減圧して得られたガス・液二相の冷媒は、過冷却装置１７ｈで室外液配管６中を流れる液冷媒と熱交換することで蒸発し、圧縮機１ｈに吸入される。過冷却装置１７ｈにおける、室外液配管６中の液冷媒との熱交換量は、過冷却専用の冷凍サイクルの冷凍能力によって任意に設定できることから、室外機３３と室内機４０ａ、４０ｂ、４０ｃ、４０ｄとを接続する接続配管８、１１、１５の配管長が長い場合においても、冷房利用側室内機４０ａ、４０ｂ、４０ｃでの冷房能力の低下を抑えることができる。
【００３５】
また、冷房利用側の空調負荷が変化した場合、圧縮機１ｂ、１ｃ共に定速圧縮機、かつ圧縮機１ｈをインバータ圧縮機としたときは、インバータ圧縮機１ｈの回転数を制御することで、過冷却装置１７ｈにおける室外液配管６中の液冷媒との熱交換量を制御し、任意の冷房能力に設定することができる。同様に冷房利用側の空調負荷が変化した場合、圧縮機１ｂ、１ｃ、１ｈを全て定速圧縮機としたときは、室外膨張装置４ｈの開度を調整し、過冷却専用の冷凍サイクル中を循環する単位時間あたりに流れる冷媒量を調整することで、過冷却装置１７ｈでの室外液配管６中の液冷媒との熱交換量を制御し、任意の冷房能力に設定することができる。
【００３６】
図６はさらに他の実施の形態を示し、冷房利用側室内機を室内機４０ａ、４０ｂ、４０ｃとし、暖房利用側室内機を室内機４０ｄとした、冷房主体運転時を示している。
【００３７】
冷房利用側室内機４０ａ、４０ｂ、４０ｃに接続した切換ユニット５１ａ、５１ｂ、５１ｃ内の高圧ガス開閉弁５１０ａ、５１０ｂ、５１０ｃは閉じているので、高圧ガス接続枝配管１５１ａ、１５１ｂ、１５１ｃ内の高圧・高温のガス冷媒は、切換ユニット５１ａ、５１ｂ、５１ｃ近傍の雰囲気空気と熱交換し、凝縮することで、液冷媒となる。この液冷媒は、過冷却バイパス弁５１３ａ、５１３ｂ、５１３ｃを開けることで、過冷却減圧装置５２０ａ、５２０ｂ、５２０ｃで減圧され、低温のガス・液二相の冷媒となる。さらに、低温のガス・液二相の冷媒と液接続枝配管８１ａ、８１ｂ、８１ｃ中の液冷媒（または、ガス・液二相の冷媒）は、切換ユニット５１ａ、５１、５１ｃ内の室内過冷却装置５３０ａ、５３０ｂ、５３０ｃと熱交換することによって、液接続枝配管８１ａ、８１ｂ、８１ｃ中の液冷媒（または、ガス・液二相の冷媒）は、過冷却される（または、ガス冷媒が凝縮し冷媒のかわき度が小さくなる）。ゆえに、冷房利用側室内熱交換器１０ａ、１０ｂ、１０ｃ入口の冷媒の比エンタルピが減少するので、冷房利用側室内機の冷房能力不足は抑制される。よって、室外機３４よりも室内機４０ａ、４０ｂ、４０ｃ、４０ｄが上部にある場合、特に冷房運転と暖房運転とが混在するときにおいても、冷房能力不足を回避できる。
【００３８】
また、全室暖房、または暖房主体運転の場合は、室外熱交換器３ａ、３ｂともに蒸発器として作用するため、外気低温時では室外熱交換器３ａ、３ｂは着霜する。一般に室外熱交換器が着霜した場合は、圧縮機から吐出した高圧・高温のガス冷媒を室外熱交換器に導入し、導入した冷媒が凝縮する際の排熱を利用して、室外熱交換器に付いた霜を溶かす、除霜運転を実施する。しかし、除霜運転の間、室内熱交換器は蒸発器として作用することから、暖房運転ができないので、快適性が損なわれる。
【００３９】
そこで、本例では、四方弁２ａ、２ｂと室外高圧ガス阻止弁１４との間に逆止弁１８ｂ、１８ｃを配設することで、圧縮機１ａから吐出した高圧ガス冷媒が、四方弁２ｂに流入しないとともに、圧縮機１ｂ、１ｃから吐出した高圧ガス冷媒も四方弁２ａに流入しない。ゆえに、四方弁２ａ、２ｂはそれぞれ他方の四方弁２ｂ、２ａに関係なく、独立に駆動することができる。よって、一方の室外熱交換器は蒸発器として、他方の室外熱交換器は凝縮器として用いることができるため、除霜運転の間、暖房利用側室内機の運転を停止する必要がないので、快適性を損なうことがない。
【００４０】
さらに、全室冷房運転時においては、圧縮機１ａ、１ｂ、１ｃを全て冷房運転で用いるため、圧縮機１ａ、１ｂ、１ｃ吐出された高圧ガス冷媒は、室外熱交換器３ａ、３ｂに流入する。高圧ガス接続主配管１５及び高圧ガス接続枝配管１５１ａ、１５１ｂ、１５１ｃ、１５１ｄ中の冷媒は、逆止弁１８ｂ、１８ｃによって、低圧とはならない。そのため、暖房運転から全室冷房運転に切り替わったとき、高圧ガス接続主配管１５及び高圧ガス接続枝配管１５１ａ、１５１ｂ、１５１ｃ、１５１ｄ中の冷媒は高圧なので、冷媒の密度が大きいため冷媒量が増加する。
【００４１】
本例では、過冷却バイパス弁５１３ａ、５１３ｂ、５１３ｃ、５１３ｄを開けることで、高圧ガス接続枝配管１５１ａ、１５１ｂ、１５１ｃ、１５１ｄ中の冷媒は、低圧ガス接続枝配管１１１ａ、１１１ｂ、１１１ｃ、１１１ｄに導出することができるので、高圧ガス接続枝配管１５１ａ、１５１ｂ、１５１ｃ、１５１ｄ中は低圧となるため、冷媒量を低減できる。特に、沸点の異なる少なくとも２種類以上の冷媒を混合してなる非共沸混合冷媒を用いることが好ましい。
【００４２】
【発明の効果】
以上説明したように、本発明によれば、冷房及び暖房能力を充分に確保すると共に、圧縮機の入力を低減し、かつ使用する冷媒量を低減した冷暖房同時運転が可能なマルチ型空気調和機を得ることができる。
【図面の簡単な説明】
【図１】本発明の一実施の形態による空気調和機の冷凍サイクルの系統図（冷房主体運転時）。
【図２】他の実施の形態本発明による空気調和機の冷凍サイクルの系統図（冷房主体運転時）。
【図３】さらに、他の実施の形態による空気調和機の冷凍サイクルの系統図（冷房主体運転時）。
【図４】さらに、他の実施の形態による空気調和機の冷凍サイクルの系統図（冷房主体運転時）。
【図５】さらに、他の実施の形態による空気調和機の冷凍サイクルの系統図（冷房主体運転時）。
【図６】さらに、他の実施の形態による空気調和機の冷凍サイクルの系統図（冷房主体運転時）。
【符号の説明】
１ｂ、１ｃ、１ｅ、１ｆ、１ｇ、１ｈ…圧縮機、１ａ、１ｄ…インバータ圧縮機、２ａ、２ｂ、２ｃ、２ｄ、２ｅ、２ｈ…四方弁、３ａ、３ｂ、３ｃ、３ｄ、３ｅ、３ｈ…室外熱交換器、４ａ、４ｂ、４ｃ、４ｄ、４ｅ、４ｈ…室外膨張装置、５…受液器、６、６ａ、６ｂ…室外液配管、７、７ａ、７ｂ…室外液阻止弁、８…液接続主配管、８ａ、８ｂ…室外液分岐配管、８１ａ、８１ｂ、８１ｃ、８１ｄ…液接続枝配管、９ａ、９ｂ、９ｃ、９ｄ…室内膨張装置、１０ａ、１０ｂ、１０ｃ、１０ｄ…室内熱交換器、１１…低圧ガス接続主配管、１２、１２ａ、１２ｂ…室外低圧ガス阻止弁、１３、１３ａ、１３ｂ…アキュムレータ、１４、１４ａ、１４ｂ…室外高圧ガス阻止弁、１５…高圧ガス接続主配管、１６、１６ａ、１６ｂ、１６ｃ…減圧装置、１７、１７ａ、１７ｂ、１７ｃ…室外過冷却装置、１８、１８ａ、１８ｂ、１８ｃ、１８ｅ…逆止弁、１９…室外送風装置、２０…サブクーラ、３０、３１ａ、３１ｂ、３２、３３、３４、３５ａ、３５ｂ…室外機、４０ａ、４０ｂ、４０ｃ、４０ｄ…室内機。
【図１】
0004029262.tif 000002
【図２】
0004029262.tif 000003
【図３】
0004029262.tif 000004
【図４】
0004029262.tif 000005
【図５】
0004029262.tif 000006
【図６】
0004029262.tif 000007